(57)【要約】【課題】携帯機器においてコンテンツを視聴する場合においてユーザーがコンテンツ視聴中に行なうさまざまな操作を快適に行なえる環境を提供する。【解決手段】接続された記録再生装置より供給されるコンテンツデータを入力するコンテンツ入力手段と、入力したコンテンツデータを表示端末装置に送信するコンテンツ送信手段と、前記記録再生装置の種別に応じた複数のアプリケーションプログラムを記憶する記憶手段と、前記表示端末装置に対し前記アプリケーションプログラムを送信するアプリケーション送信手段とを備え、前記アプリケーション送信手段は、前記コンテンツ入力手段へコンテンツデータを供給している記録再生装置の種別に基づいて前記複数のアプリケーションプログラムの中から選択されたアプリケーションプログラムを前記表示端末装置に送信するように構成されたテレビジョン受信装置。【選択図】      図１
2005012652.tif 000002
【特許請求の範囲】
【請求項１】
接続された外部装置より供給されるコンテンツデータを入力するコンテンツ入力手段と、
入力したコンテンツデータを端末装置に送信するコンテンツ送信手段と、
前記外部装置の種別に応じた複数のアプリケーションプログラムを記憶する記憶手段と、
前記端末装置に対し前記アプリケーションプログラムを送信するアプリケーション送信手段とを備え、
前記アプリケーション送信手段は、前記コンテンツ入力手段へコンテンツデータを供給している外部装置の種別に基づいて前記複数のアプリケーションプログラムの中から選択されたアプリケーションプログラムを前記端末装置に送信するように構成されていることを特徴とするテレビジョン受信装置。
【請求項２】
前記コンテンツ入力手段が入力したコンテンツデータを映像音声データに復号する復号手段と、前記復号手段により復号された映像音声データを前記端末装置に適した符号化方式で符号化する符号化手段とを備え、前記コンテンツ送信手段は前記符号化手段から供給されたデータを前記端末装置に送信することを特徴とする請求項１に記載のテレビジョン受信装置。
【請求項３】
前記外部装置はデジタルＶＴＲ装置、ディスク録画再生装置等の記録再生装置であり、前記端末装置は画像を表示可能な表示端末装置であることを特徴とする請求項１に記載のテレビジョン受信装置。
【請求項４】
前記アプリケーションプログラムは前記表示端末装置にてコンテンツデータ視聴を行う際に実行され、表示レイアウト及びユーザー操作に対する処理を記述したものであることを特徴とする請求項３に記載のテレビジョン受信装置。
【請求項５】
前記アプリケーション送信手段は、前記入力手段へコンテンツデータを供給している前記記録再生装置がディスク録画装置の場合は特殊再生を実行する機能を含むアプリケーション、ＶＴＲ装置の場合は特殊再生を実行する機能を含まないアプリケーションを選択することを特徴とする請求項４に記載のテレビジョン受信装置。
【請求項６】
記録再生装置から供給されるコンテンツデータを入力する記録コンテンツ入力手段と、
デジタル放送コンテンツデータを受信する放送コンテンツ入力手段と、
入力したコンテンツデータを端末装置に送信するコンテンツ送信手段と、
前記記録コンテンツと放送コンテンツのそれぞれに対応した複数のアプリケーションプログラムを記憶する記憶手段と、
前記端末装置にアプリケーションプログラムを送信するアプリケーション送信手段とを、
前記アプリケーション送信手段は、コンテンツデータが記録コンテンツであるか放送コンテンツであるかに基づいて前記複数のアプリケーションプログラムの中から選択されたアプリケーションプログラムを前記端末装置に送信するように構成されていることを特徴とするテレビジョン受信装置。
【請求項７】
コンテンツデータを入力するコンテンツ入力手段と、
入力したコンテンツデータの属性を取得するコンテンツ属性取得手段と、
入力したコンテンツデータを表示端末装置に送信するコンテンツ送信手段と、
複数のアプリケーションプログラムを記憶する記憶手段と、
前記表示端末装置にアプリケーションプログラムを送信するアプリケーション送信手段とを有し、
前記アプリケーション送信手段は、前記コンテンツ属性取得手段が取得したコンテンツ属性に基づいて前記複数のアプリケーションプログラムの中から選択されたアプリケーションプログラムを前記表示端末装置に送信するように構成されていることを特徴とするテレビジョン受信装置。
【請求項８】
前記コンテンツ入力手段が入力したコンテンツデータを映像音声データに復号する復号手段と、前記復号手段により復号された映像音声データを前記表示端末装置に適した符号化方式で符号化する符号化手段とを備え、前記コンテンツ送信手段は前記符号化手段から供給されたデータを前記表示端末装置に出力することを特徴とする請求項７に記載のテレビジョン受信装置。
【請求項９】
前記コンテンツ属性とはスポーツ、報道、ドラマ、ショッピング、映画等のコンテンツのジャンル分類であることを特徴とする請求項７または８に記載のテレビジョン受信装置。
【請求項１０】
前記コンテンツ属性とは映像のフォーマット情報、マルチビュー情報等のコンテンツの放送属性であることを特徴とする請求項７または８に記載のテレビジョン受信装置。
【請求項１１】
前記アプリケーションプログラムとは、前記表示端末装置にてコンテンツデータ視聴を実行する際に用いられ、表示レイアウト及びユーザー操作に対する処理を記述したものであることを特徴とする請求項７から１０に記載のテレビジョン受信装置。
【請求項１２】
前記アプリケーション送信手段は、前記コンテンツ属性取得手段によって取得されたコンテンツ属性に基づいて前記記憶手段に記憶されたアプリケーションプログラムを加工し、前記表示端末装置へ送信することを特徴とする、請求項７から１１に記載のいずれかにテレビジョン受信装置。
【請求項１３】
前記アプリケーションプログラムとは、マークアップ言語、スクリプト言語、ＪＡＶＡ（登録商標）言語のうち少なくとも一つで記述されたことを特徴とする請求項１から１３のいずれかに記載のテレビ受信装置。
【請求項１４】
テレビジョン受信装置と、該テレビジョン受信装置とネットワークを介してデータの授受を行なう表示端末装置と、前記テレビジョン受信装置と接続された記録再生装置で構成されるテレビジョン受信システムにおいて、
前記テレビジョン受信装置は、放送コンテンツを受信する放送コンテンツ受信手段と、前記記録再生装置からコンテンツデータを入力する蓄積コンテンツ入力手段と、前記表示端末装置からの指示に対応して、放送コンテンツまたは蓄積コンテンツデータを前記表示端末装置に送信するコンテンツ送信手段と、複数のアプリケーションプログラムを記憶する記憶手段と、前記表示端末装置へ送信中のコンテンツが放送コンテンツであるか前記記録再生装置より入力したコンテンツであるかに従って前記複数のアプリケーションプログラムの中から選択されたアプリケーションプログラムを前記表示端末装置に送信するアプリケーション送信手段とを備え、
前記表示端末装置は、前記テレビジョン受信装置から送信されたコンテンツデータを受信する受信手段と、受信したコンテンツデータを再生するコンテンツ再生手段と、映像データを表示する表示手段と、前記コンテンツの再生と同時に前記テレビ受信装置から送信されたアプリケーションプログラムを実行するアプリケーション実行手段とを含むことを特徴とする、テレビジョン受信システム。
【請求項１５】
前記テレビジョン受信装置は種別や機能属性の異なる複数の記録再生装置と接続され、
前記アプリケーション送信手段は、前記表示端末装置へ送信中のコンテンツが記録再生装置からの蓄積コンテンツである場合に、前記記録再生装置の種別や機能属性に応じて前記複数のアプリケーションプログラムの中から選択されたアプリケーションプログラムを前記表示端末装置に送信するように構成されていることを特徴とする請求項１４に記載のテレビジョン受信システム。
【請求項１６】
テレビジョン受信装置と、該テレビジョン受信装置とネットワークを介してデータの授受を行なう表示端末装置と、前記テレビジョン受信装置と接続された記録再生装置で構成されるテレビ受信システムにおいて、
前記テレビジョン受信装置は、放送コンテンツデータを受信する放送コンテンツ受信手段と、前記記録再生装置から蓄積コンテンツデータを入力する蓄積コンテンツ入力手段と、入力したコンテンツデータの属性を取得するコンテンツ属性取得手段と、前記表示端末装置からの指示に対応して、放送コンテンツデータまたは蓄積コンテンツデータを前記表示端末装置に送信するコンテンツ送信手段と、複数のアプリケーションプログラムを記憶する記憶手段と、前記コンテンツ属性取得手段が取得したコンテンツ属性に基づき、前記アプリケーションプログラムのうち何れかを選択して、前記表示端末装置に送信するアプリケーション送信手段を有し、
前記表示端末装置は、前記テレビジョン受信装置から送信されたコンテンツデータを受信する受信手段と、受信したコンテンツデータを再生するコンテンツ再生手段と、映像データを表示する表示手段と、前記コンテンツデータの再生と同時に前記テレビジョン受信装置から送信されたアプリケーションプログラムを実行するアプリケーション実行手段とを有することを特徴とするテレビジョン受信システム。
【請求項１７】
前記表示端末装置はユーザー入力手段を有し、前記アプリケーションプログラムは前記ユーザー入力手段からの入力情報に基づいて前記テレビジョン受信装置にコマンドの送信を実行する処理を含み、前記テレビジョン受信装置は前記表示端末装置より送信されたコマンドを受信した際、そのコマンドに応じて前記記録再生装置の再生動作を制御する再生制御手段を有することを特徴とする請求項１４乃至１６に記載のテレビジョン受信システム。
【請求項１８】
前記テレビ受信装置は前記放送コンテンツ受信手段または蓄積コンテンツ入力手段が入力したコンテンツデータを映像音声データに復号する復号手段と、前記復号手段により復号された映像音声データを前記表示端末装置に適した符号化方式で符号化する符号化手段とを有し、
前記コンテンツ送信手段は前記符号化手段から供給されたデータを前記表示端末装置に出力し、
前記表示端末装置は前記受信手段が受信したコンテンツデータを復号して前記再生手段へと供給する復号手段を有することを特徴とする請求項１４乃至１７に記載のテレビジョン受信システム。
【請求項１９】
前記コンテンツ属性とは、スポーツ、報道、ドラマ、ショッピング、映画等のコンテンツのジャンル分類であることを特徴とする請求項１６に記載のテレビジョン受信システム。
【請求項２０】
前記コンテンツ属性とは、映像のフォーマット情報、マルチビュー情報等のコンテンツの放送属性あることを特徴とする請求項１６に記載のテレビジョン受信システム。
【請求項２１】
前記アプリケーションプログラムは前記テレビ表示端末装置の表示手段において表示されるコンテンツデータおよび操作ガイドのレイアウト情報を含むことを特徴とする請求項１４から２０に記載のテレビジョン受信システム。
【請求項２２】
前記テレビジョン受信装置の前記アプリケーション送信手段は、前記コンテンツ属性取得手段によって取得されたコンテンツ属性に基づいて前記記憶手段に記憶されたアプリケーションプログラムを加工し、前記他の表示端末装置へ送信することを特徴とする請求項１６、１９及び２０のいずれかに記載のテレビジョン受信システム。
【請求項２３】
テレビジョン受信装置と、該テレビジョン受信装置と接続された記録再生装置と、前記テレビジョン受信装置とネットワークを介してデータの授受を行なう表示端末装置と、該表示端末装置とネットワークを介してデータの授受を行うアプリケーションプログラムサーバーとで構成されるテレビ受信システムにおいて、
前記テレビジョン受信装置は、デジタル放送コンテンツを受信する放送コンテンツ受信手段と、前記記録再生装置から蓄積コンテンツデータを入力する蓄積コンテンツ入力手段と、入力したコンテンツデータの属性を取得するコンテンツ属性取得手段と、前記表示端末装置からの指示に対応して、放送コンテンツデータまたは蓄積コンテンツデータを前記表示端末装置に送信するコンテンツ送信手段と、複数のアプリケーションプログラムが格納されたネットワークアドレスを記憶する記憶手段と、前記コンテンツ属性取得手段が取得したコンテンツ属性に基づき、前記アプリケーションプログラムのうち何れかを選択して、前記表示端末装置に対しアプリケーションプログラムのネットワークアドレスを送信するアプリケーションアドレス送信手段を有し、
前記表示端末装置は、前記テレビジョン受信装置からの送信されたコンテンツデータを受信する受信手段と、受信したコンテンツデータを再生するコンテンツ再生手段と、映像データを表示する表示手段と、前記テレビ受信装置から送信されたアプリケーションプログラムのネットワークアドレスに基づいて前記アプリケーションサーバーよりアプリケーションプログラムを取得し前記コンテンツの再生と同時に該アプリケーションプログラムを実行するアプリケーション実行手段とを有することを特徴とするテレビ受信システム。
【請求項２４】
前記アプリケーションプログラムとは、マークアップ言語、スクリプト言語、ＪＡＶＡ（登録商標）言語のうち少なくとも一つで記述されていることを特徴とする請求項１４から２３に記載のテレビジョン受信システム。
【発明の詳細な説明】
【０００１】
【発明の属する技術分野】
本発明はテレビジョン受信装置およびテレビジョン受信システムに関するものであり、特にデジタル放送番組や動画コンテンツを携帯情報端末において快適に視聴できるようにするテレビジョン受信装置およびテレビ受信システムに関するものである。
【０００２】
【従来の技術】
デジタルハイビジョン放送が開始され、ハイビジョン対応のテレビ受信機の普及により、従来よりも高画質で迫力のある映像を家庭で楽しめるようになってきている。
【０００３】
一方、移動体通信機器として広く普及している携帯電話機や携帯情報端末（ＰＤＡ）においてもデジタル放送コンテンツを受信できるようにして、ユーザーが外出中であってもデジタル放送コンテンツが楽しめるようにする試みが進んでいる。
【０００４】
ところでデジタル放送コンテンツを受信し、所望の番組を録画し、あとで視聴するといった場合、録画する為の装置が必要であるが、その録画装置を含めて携帯可能なサイズに小型化するのは困難であった。
【０００５】
携帯機器においてユーザーが個人で録画したコンテンツを楽しむ為の方法としては、たとえば特開２００２−０７７８３９号公報（例えば、特許文献１参照）において、デジタルテレビ放送を一旦録画サーバーへ記録した後、録画サーバーから携帯電話機に対しコンテンツを送信して携帯電話機で受信したコンテンツを再生するというシステムの提案がなされている。
【０００６】
【特許文献１】
特開２００２−７７８３９号公報
【０００７】
【発明が解決しようとする課題】
しかしながら、上記提案を含む従来の技術では、携帯機器でのコンテンツ視聴中にユーザーが行なうさまざまな「操作」を快適に行なえる環境は提供されていなかった。
【０００８】
たとえば、ユーザーがテレビ放送コンテンツ、および録画済みの番組コンテンツを視聴する際には、さまざまな操作をテレビ受信装置もしくは録画装置に対して行なっている。テレビ放送であれば、チャンネルの切り替え操作、また録画番組コンテンツであれば一時停止、再生、早送り、巻き戻しといった操作、さらには録画装置がＨＤＤ記録装置の場合にはインスタントリプレイ・追っかけ再生などの操作、さらは２カ国語放送であれば音声切替、マルチアングル番組であればアングルの切替操作、画面の縦横比が４：３のテレビで縦横比率が１６：９番組コンテンツを視聴する際には画面表示方法（上下枠付き／横方向圧縮）の選択操作、等々非常にさまざまな操作を行なっている。これらの操作は通常、たくさんのボタンを持ったテレビ、もしくは録画装置のリモコンを操作することによって実行されるものである。
【０００９】
ところが携帯機器はその性質上、ボタンを数多く設けることができず、上記のような番組コンテンツ視聴中に行なうさまざまな操作のために新たにボタンを設けたりすることは現実的ではなかった。また上記全ての機能を携帯機器が予め持っているボタンにそれぞれ割り振っておく方法も考えられるが、ユーザーはどの機能がどのボタンに割り付けられているかを全て覚えておくことは困難であった。また仮に画面に各ボタンに割り付けられた機能を画面上にガイド表示することで、ユーザーが一つ一つのキーの機能を覚えなくても使えるようにしたとしても、上記のような操作機能を全て表示すると、それだけで画面が埋まってしまい、特に画面の大きさに制約のある携帯機器においてはコンテンツ視聴が妨げられるという問題もあった。
【００１０】
そこで本発明における課題は、上記問題点を解決し携帯機器においてコンテンツを視聴する場合においても、ユーザーがコンテンツ視聴中に行なうさまざまな操作を快適に行なえるテレビジョン受信装置及びシステムを提供することを目的としている。
【００１１】
【課題を解決するための手段】
上記課題を解決する為に、本願における請求項１に記載の発明によれば、接続された外部装置より供給されるコンテンツデータを入力するコンテンツ入力手段と、
入力したコンテンツデータを端末装置に送信するコンテンツ送信手段と、前記外部装置の種別に応じた複数のアプリケーションプログラムを記憶する記憶手段と、前記端末装置に対し前記アプリケーションプログラムを送信するアプリケーション送信手段とを備え、前記アプリケーション送信手段は、前記コンテンツ入力手段へコンテンツデータを供給している外部装置の種別に基づいて前記複数のアプリケーションプログラムの中から選択されたアプリケーションプログラムを前記端末装置に送信するように構成されているテレビジョン受信装置を特徴とする。
【００１２】
また本願における請求項６に記載の発明によれば、記録再生装置から供給されるコンテンツデータを入力する記録コンテンツ入力手段と、デジタル放送コンテンツデータを受信する放送コンテンツ入力手段と、入力したコンテンツデータを端末装置に送信するコンテンツ送信手段と、前記記録コンテンツと放送コンテンツのそれぞれに対応した複数のアプリケーションプログラムを記憶する記憶手段と、前記端末装置にアプリケーションプログラムを送信するアプリケーション送信手段とを、前記アプリケーション送信手段は、コンテンツデータが記録コンテンツであるか放送コンテンツであるかに基づいて前記複数のアプリケーションプログラムの中から選択されたアプリケーションプログラムを前記端末装置に送信するように構成されているテレビジョン受信装置を特徴とする。
【００１３】
また本願における請求項７に記載の発明によれば、コンテンツデータを入力するコンテンツ入力手段と、入力したコンテンツデータの属性を取得するコンテンツ属性取得手段と、入力したコンテンツデータを表示端末装置に送信するコンテンツ送信手段と、複数のアプリケーションプログラムを記憶する記憶手段と、前記表示端末装置にアプリケーションプログラムを送信するアプリケーション送信手段とを有し、前記アプリケーション送信手段は、前記コンテンツ属性取得手段が取得したコンテンツ属性に基づいて前記複数のアプリケーションプログラムの中から選択されたアプリケーションプログラムを前記表示端末装置に送信するように構成されているテレビジョン受信装置を特徴とする。
【００１４】
また本願における請求項１４に記載の発明によれば、テレビジョン受信装置と、該テレビジョン受信装置とネットワークを介してデータの授受を行なう表示端末装置と、前記テレビジョン受信装置と接続された記録再生装置で構成されるテレビジョン受信システムにおいて、前記テレビジョン受信装置は、放送コンテンツを受信する放送コンテンツ受信手段と、前記記録再生装置からコンテンツデータを入力する蓄積コンテンツ入力手段と、前記表示端末装置からの指示に対応して、放送コンテンツまたは蓄積コンテンツデータを前記表示端末装置に送信するコンテンツ送信手段と、複数のアプリケーションプログラムを記憶する記憶手段と、前記表示端末装置へ送信中のコンテンツが放送コンテンツであるか前記記録再生装置より入力したコンテンツであるかに従って前記複数のアプリケーションプログラムの中から選択されたアプリケーションプログラムを前記表示端末装置に送信するアプリケーション送信手段とを備え、前記表示端末装置は、前記テレビジョン受信装置から送信されたコンテンツデータを受信する受信手段と、受信したコンテンツデータを再生するコンテンツ再生手段と、映像データを表示する表示手段と、前記コンテンツの再生と同時に前記テレビ受信装置から送信されたアプリケーションプログラムを実行するアプリケーション実行手段とを含むテレビジョン受信システムを特徴とする。
【００１５】
また本願における請求項１６に記載の発明によれば、テレビジョン受信装置と、該テレビジョン受信装置とネットワークを介してデータの授受を行なう表示端末装置と、前記テレビジョン受信装置と接続された記録再生装置で構成されるテレビ受信システムにおいて、前記テレビジョン受信装置は、放送コンテンツデータを受信する放送コンテンツ受信手段と、前記記録再生装置から蓄積コンテンツデータを入力する蓄積コンテンツ入力手段と、入力したコンテンツデータの属性を取得するコンテンツ属性取得手段と、前記表示端末装置からの指示に対応して、放送コンテンツデータまたは蓄積コンテンツデータを前記表示端末装置に送信するコンテンツ送信手段と、複数のアプリケーションプログラムを記憶する記憶手段と、前記コンテンツ属性取得手段が取得したコンテンツ属性に基づき、前記アプリケーションプログラムのうち何れかを選択して、前記表示端末装置に送信するアプリケーション送信手段を有し、前記表示端末装置は、前記テレビ受信装置から送信されたコンテンツデータを受信する受信手段と、受信したコンテンツデータを再生するコンテンツ再生手段と、映像データを表示する表示手段と、前記コンテンツデータの再生と同時に前記テレビ受信装置から送信されたアプリケーションプログラムを実行するアプリケーション実行手段とを有するテレビ受信システムを特徴とする。
【００１６】
【発明の実施の形態】
以下、本発明におけるテレビ受信装置及びテレビ受信システムを各図を参照しながらその実施形態について詳細に説明する。
【００１７】
（実施例１）
以下に本発明の第１の実施例について説明する。図１は本発明を適用したテレビ受信システムの一実施例の構成を示した図である。図１においては１０１は携帯情報端末、１０２は接続されているネットワークシステムである。
【００１８】
１０３，１０４は通信サービスの提供エリアを所望の大きさに分割したセルと呼ばれる範囲内にそれぞれ設置されている固定無線基地局である基地局である。
これらの基地局１０３、１０４には、移動無線局である携帯情報端末１０１、１０２が無線接続され、大容量データを高速にデータ通信をすることができる。
【００１９】
また基地局１０３、１０４は有線回線を介して公衆回線網１０５に接続されており、公衆回線網１０５にはインターネットアクセスサーバ１０８を介してインターネット１０７が接続されている。インターネット１０７にはＷＷＷサーバー１０６やデジタルテレビ受信装置２００が接続されている。デジタルテレビ受信装置２００には放送を受信する為のアンテナ、そしてＶＴＲ装置やＨＤＤ（ハードディスクドライブ）録画装置が、ホームネットワーク１１２（たとえばＩＥＥＥ１３９４シリアルバス）を介して接続されている。
【００２０】
図２はデジタルテレビ受信装置２００の構成を示した図である。同図において、アンテナにより受信された信号はチューナ部２０１に入力される。チューナ部２０１は、入力された信号に対して、復調、誤り訂正等の処理を施し、トランスポートストリームと呼ばれる形式のデジタルデータを生成する。チューナ部は更に、生成したトランスポートストリーム（ＴＳ）データに対しデスクランブル解除処理を行い、デマルチプレクサ２０２に出力する。
【００２１】
デマルチプレクサ部２０２は、チューナ部２０１より入力された複数チャンネル分の映像データ、音声データ、および番組情報データ、データ放送データ等が時分割多重化されているＴＳデータの中から、映像データおよび音声データを取り出し、映像・音声デコーダ２０３に出力する。映像・音声デコーダで処理された映像データ・音声データは映像音声メモリ２０４に書き込まれ、映像情報は映像出力部２０７を介して、表示器２１０へと出力される。一方音声データは音声出力部２０５にて出力される。
【００２２】
２０６はＡＶ機器インターフェースであり、外部にＩＥＥＥ１３９４シリアルバスによって接続されたＶＴＲ装置１１１、ＨＤＤ録画装置１１０との間で映像データ、音声データおよび制御コマンドの送受信を行なう。ＶＴＲ装置１１１やＨＤＤ録画装置１１０に対して映像・音声信号を出力する場合には、デマルチプレクサ部２０２は前述のＴＳデータを一部加工して蓄積用ＴＳデータとした上でＡＶ機器インターフェースに対して出力する、そしてＡＶ機器インターフェース２０６でＩＥＥＥ１３９４規格のアイソクロナス伝送データに変換され、ＶＴＲ装置やＨＤＤ録画装置へと出力される。
【００２３】
反対にＶＴＲ装置１１１やＨＤＤ録画装置１１０が再生動作を行い、ＩＥＥＥ１３９４を介してアイソクロナス伝送データがＡＶ機器インターフェースに入力した場合、ＡＶ機器インターフェース２０６で蓄積用ＴＳデータへと変換され、さらにデマルチプレクサによって、映像データ・音声データとして映像・音声デコーダ２０３へと供給される。
【００２４】
２０９は映像・音声エンコーダであり、映像・音声メモリの内容をＭＰＥＧ（Ｍｏｖｉｎｇ  Ｐｉｃｔｕｒｅ  Ｅｘｐｅｒｔｓ  Ｇｒｏｕｐ）２やＭＰＥＧ４等の所定の符号化方式によって圧縮符号化することにより、符号化画像データに変換し、これを通信部２１３へと送る。通信部２１３はインターネット回線を通して、映像・音声エンコーダ部からの情報を携帯情報端末（１０１または１０２）へと送信し、さらに携帯情報端末との間でのコマンド通信を実行するものである。
【００２５】
なお、本実施例で用いた映像・音声エンコーダはコンテンツのビデオフォーマット（例、１６：９や４：３など）に関わらず、全て縦横比４：３で携帯情報端末へと送信するものとする。
【００２６】
２０８はＣＰＵ（中央演算処理装置）であり、記憶部２１２に格納されたプログラムに従い上記各部に対して設定および制御を行い、本実施形態のデジタルテレビ受信装置の動作を制御するものである。また記憶部２１２はＣＰＵ２０８からの要求に従い必要な情報を保存するものである。また２１４はデジタルテレビ受信装置を遠隔制御するためのリモコンで４ある。
【００２７】
図３は携帯情報端末１０２をより詳細に示した図である。携帯情報端末１０２は携帯電話とも呼ばれるものであり、前面に液晶ディスプレイ３０１が設けられており、登録されている相手先名や電波の状態、通話時間、電池残量の表示、そして電子メールの内容やＷＷＷコンテンツ、そして、静止画、動画コンテンツの再生が行なわれる。またディスプレイの下には発呼キー３０２、終話および電源キー３０４、「０」〜「９」の数字キー３０５が設けられている。また３０３は上下左右の方向キーおよび押下による決定キーが一つになった「カーソル＆決定」キーである。
【００２８】
図４は携帯情報端末１０２の構成を示したブロック図である。アンテナを介して基地局より受信したデータは送受信回路４０１、変復調回路部４０２にて復調処理される。音声データの場合には音声コーデック４０３に入力され、スピーカー３０６にて出力される。映像データの場合には映像デコーダに入力され、ビデオメモリ４０９に一旦蓄えられた後、映像出力部４１０を介して、液晶ディスプレイ３０１によって出力される。また文字データまたはプログラムデータの場合には、一旦ＣＰＵ４０８に供給され、ＣＰＵ上で動作するソフトウェアによって所定のデコード処理またはプログラムの実行が行なわれ、その動作結果が表示データとしてビデオメモリ４０９に書き込まれ、前述の映像信号と共に液晶ディスプレイ３０１に出力される。
【００２９】
なお本実施例においてはＣＰＵ４０８ではＸＭＬ（ｅＸｔｅｎｄａｂｌｅ  Ｍａｒｋｕｐ  Ｌａｎｇｕａｇｅ）およびスクリプトを実行するブラウザアプリケーションが動作する。
【００３０】
（処理動作説明）
次に本実施形態のテレビ受信システムの動作について説明する。図５はデジタルテレビ受信装置２００のＣＰＵ２０８、携帯情報端末１０２のＣＰＵ４０８、およびＨＤＤ録画装置１１０の動作の流れ、およびその関係を示した図である。
【００３１】
なお、本実施形態では予めＨＤＤ録画装置１１０、およびＶＴＲ装置１１１に複数の番組コンテンツが蓄積されている状態を前提として説明を行なう。
【００３２】
先ず、携帯情報端末１０２に対しユーザーがテレビ視聴の指示をすると（Ｓ５０１）、携帯情報機器のＣＰＵ４０８はデジタルテレビ受信装置２００に対してコンテンツリスト要求コマンドを送信する（Ｓ５０２）。デジタルテレビ受信装置のＣＰＵ２０８では、通信部２１３よりコマンド受信通知を受けると（Ｓ５１１）、現在視聴可能な録画済みコンテンツのリストを作成し（Ｓ５１２）、通信部２１３を介して携帯情報端末へと送信する（Ｓ５１３）。携帯情報端末のＣＰＵ４０８では受信したリスト情報をブラウザアプリケーションに供給すると共に，ブラウザアプリケーションはリスト情報に従って文字や図形情報へと変換し、ビデオメモリ４０９に対して描画を行なう（Ｓ５０３〜Ｓ５０４）。図６はこのときの液晶ディスプレイ３０１の表示を示した図である。
【００３３】
携帯情報端末１０２で図６のような表示がなされているときに、ユーザーが前述の「カーソル＆決定キー」を操作して、リスト上のカーソルを移動し、番組コンテンツを一つ選択すると（Ｓ５０５）、携帯情報端末のＣＰＵ４０８からデジタルテレビ受信装置２００に対してコンテンツ指定情報がコマンドとして通知される（Ｓ５０６）。デジタルテレビ受信装置のＣＰＵ２０８はコンテンツ指定情報の通知を受けると（Ｓ５１４）、図７に示すコンテンツリスト情報に従い指定されたコンテンツの蓄積されたメディアを調査する。
【００３４】
図７に示すコンテンツリスト情報はデジタルテレビ受信装置が現在再生可能な蓄積済み（録画済）コンテンツの情報を示したリストであり、各コンテンツの番組名、再生時間、蓄積先装置の種別情報（蓄積メディア）、そしてそのコンテンツの頭だし再生を実行する為に必要な情報が記されている。例えば図７のインデックス１番のコンテンツはＶＴＲ装置に蓄積されており、この番組コンテンツを再生する為にはＶＴＲ装置に対しトラック番号３４０５５にテープを移動し、そこから９０分間再生するように指示すればよいことが分かる。またインデックス３番のコンテンツはＨＤＤ録画装置に蓄積されており、再生するためには２３４３というＩＤをＨＤＤ録画装置に送信すればよいことが分かる。
【００３５】
デジタルテレビ受信装置のＣＰＵ２０８は、携帯情報端末から指定されたコンテンツが外部装置つまり本実施形態におけるＨＤＤ録画装置１１０またはＶＴＲ装置１１１に記録されたコンテンツであった場合には（Ｓ５１４）、その装置に対してＡＶ機器インターフェースを介してコマンド送信を行う（Ｓ５１５）。例えば図７のインデックス３に示したコンテンツの場合には、ＨＤＤ録画装置に対してＩＤ＝２３４３という記録コンテンツの再生要求がＡＶ機器インターフェースを介して送信される。そしてＨＤＤ録画装置はこのコンテンツの再生を開始する（Ｓ５２２）。
【００３６】
デジタルテレビ受信装置のＣＰＵ２０８はＨＤＤ録画装置から再生通知を受けると（Ｓ５１７）、ＡＶ機器インターフェースおよびデマルチプレクサ部を制御して、ＨＤＤ録画装置からのアイソクロナス伝送データを受信し、映像・音声デコーダに供給、その処理結果をデータを映像・音声メモリ２０４へと出力されるようにする。そしてデジタルテレビ受信装置のＣＰＵ２０８はさらに、映像・音声エンコーダ部２０９を制御して映像・音声メモリの内容をＭＰＥＧ圧縮符号化処理して通信部を介して携帯情報端末へと送信する。
【００３７】
一方、携帯情報端末のユーザーが図７のインデックス１に示したコンテンツを指定した場合には、同様にデジタルテレビ受信装置からＶＴＲ装置に対して、コンテンツの再生コマンドが送信される。その後の処理はＨＤＤ録画装置の場合と同じである。
【００３８】
また、図７のインデックス５に示した「ライブ番組」をユーザーが指定した場合には、デジタルテレビ受信装置のＣＰＵ２０８はチューナ部２０１を制御して現在放送中の番組の受信を開始すると共に、チューナ部からストリームがデマルチプレクサ、映像・音声デコーダへと供給され、映像・音声メモリへと出力されるようにする。
【００３９】
さらにデジタルテレビ受信装置のＣＰＵ２０８は、映像・音声エンコーダ２０９および通信部２１３を制御して、映像・音声メモリの内容をＭＰＥＧ圧縮符号化を施した上で携帯情報端末に対して送信する（Ｓ５１８）。
【００４０】
携帯情報端末のＣＰＵ４０８は、デジタルテレビ受信装置から送信されたＭＰＥＧデータを受信すると（Ｓ５０８）、これを音声コーデック４０３、および映像デコーダ４０５へと供給し、コンテンツの再生を開始する（Ｓ５０９）。
【００４１】
次にデジタルテレビ受信装置のＣＰＵ２０８は、視聴補助用ＸＭＬデータの選択処理を行なう（Ｓ５０９）。この処理は予めコンテンツの蓄積装置（蓄積メディア）の種別ごとに決められたＸＭＬデータを選択する処理であり、本実施例においては図８に示したテーブルを用いている。例えば、ＨＤＤ録画装置のコンテンツを携帯情報端末に送信したならば、ＸＭＬ＿ＡというＸＭＬデータを、またＶＴＲ装置のコンテンツを携帯情報端末に送信したならば、ＸＭＬ＿ＢというＸＭＬデータを、さらにチューナ経由で入力したライブ番組を携帯情報端末に送信したならば、ＸＭＬ＿Ｃを選択する。
【００４２】
図１０はＸＭＬ＿Ａの内容を示した図であり、このＸＭＬデータには動画コンテンツを表示する為のレイアウト情報、およびその下に「１」、「２」、「３」各キーに割り当てれた機能ガイドをユーザーに示す為の文字列。さらにその下には携帯情報端末において「１」、「２」、「３」各キーが押下された時の動作を示すスクリプトが示されている。ここでは携帯情報端末からデジタルテレビ受信装置に対して、「１」、「２」、「３」各キーごとに異なる「視聴コンテンツ操作コマンド」が送信される例を示している。
【００４３】
図８には各ＸＭＬデータが持っている機能も一緒に示しており、各ＸＭＬデータには同図に示した各機能に対応した、機能ガイドの記述、およびスクリプト記述がなされている。
【００４４】
携帯情報端末のＣＰＵ４０８においては、ＸＭＬデータの受信を受けると、ブラウザアプリケーションに対してこのデータを供給すると共に、ＸＭＬデータに従ったレイアウト処理および文字・図形情報の描画を行なう。図９はＸＭＬデータが携帯情報端末の液晶ディスプレイに表示された様子を示した図であり、図９（Ａ）は図８のＸＭＬ＿Ａの場合の例、図中９（Ｂ）は図８のＸＭＬ＿Ｂの場合の例、図中９（Ｃ）は図８のＸＭＬ＿Ｃの場合の例である。図中上部の四角の領域は動画映像が表示されるエリアであり、下部の文字は操作ガイドである。
【００４５】
次に、ユーザーがコンテンツ視聴中に携帯電話のボタンを操作した場合の動作について図１１を用いて説明する。図５の処理の終了後、つまり携帯情報端末の液晶ディスプレイで図９に示したような、表示がなされた状態で、ユーザーが「１」、「２」または「３」の何れかのボタンを押すと（Ｓ１１０１）、携帯情報端末のＣＰＵ４０８で動作するブラウザアプリケーションはＸＭＬデータに記述されたスクリプトに従って処理を行なう（Ｓ１１０２）。
【００４６】
例えば図１０に示したＸＭＬ＿Ａの場合では、「１」キーが押されると、ＤＴＶに対して「視聴コンテンツ操作コマンドメッセージ」が「ＰＡＵＳＥ」というデータを伴って送信されることを示している。また「２」キーが押されると視聴コンテンツ操作コマンドメッセージ」が「ＲＥＰＬＡＹ」というデータと「１０」というデータを伴って送信され、また「３」キーが押されると視聴コンテンツ操作コマンドメッセージ」が「ＭＡＲＫ」というデータを伴って送信されることを示している（Ｓ１１０３）。
【００４７】
デジタルテレビ受信装置のＣＰＵ２０８は、携帯情報端末より「視聴コンテンツ操作コマンドメッセージ」を受信すると（Ｓ１１１１）、そのコマンドに応じた処理を実行する（Ｓ１１１２）。そしてその処理が外部の装置に対する操作を必要とする場合には（Ｓ１１１３）、ＡＶ機器インターフェースを介して、外部機器に対してＩＥＥＥ１３９４のＡＶ制御コマンドを送信する（Ｓ１１１４）。例えば、ＨＤＤ録画装置に蓄積されたコンテンツを携帯情報端末に対して送信中に「ＰＡＵＳＥ」というデータを伴った視聴コンテンツ操作コマンドを受信するとＨＤＤ録画装置に対するポーズ要求コマンドを送信する。また「ＲＥＰＬＡＹ」および「１０」というデータを伴った視聴コンテンツ操作コマンドを受信すると、ＨＤＤ録画装置に対して、現在再生中のコンテンツを１０秒間の戻すコマンドを送信する。また「ＭＡＲＫ」というデータを伴った視聴コンテンツ操作コマンドを受信すると、ＨＤＤ録画装置に対して、マーキングコマンドを送信する。本実施例で用いたＨＤＤ録画装置はマーキングコマンドを受信すると、再生中のコンテンツの経過時間を記録し、後にユーザーがＨＤＤ録画装置に対して指示をすると、マーキングしたコンテンツ個所の再生が自動的に行なえるものである。
【００４８】
以上説明してきたような処理による動作結果を以下にまとめて記載する。
【００４９】
図５のＳ５０１〜Ｓ５０４、およびＳ５１１〜Ｓ５１３の処理によって図６に示すようなリスト表示が携帯情報端末に表示されているときに、ユーザーが「７時のニュース」というコンテンツを指定すると、図５のＳ５０５〜Ｓ５０７の処理、およびＳ５１４〜Ｓ５１８の処理、および図７に示したテーブルデータにより、ＨＤＤ録画装置の所定のＩＤ番号のコンテンツ再生が開始され、その映像・音声データはデジタルテレビ受信装置を経由して携帯情報端末へと送信される。
そして図５のＳ５０８〜Ｓ５０９の処理、およびＳ５１９〜Ｓ５２０の処理、そして図８に示したデータにより、ＸＭＬ＿ＡというＸＭＬデータが選択され、携帯情報端末へと送られ、液晶ディスプレイには図９の（Ａ）に示すような表示がなされる。
【００５０】
ここでユーザーがコンテンツ視聴中に「１」のキーを押すと、Ｓ１１０１〜Ｓ１１０３の処理、Ｓ１１１１〜Ｓ１１１３の処理、そしてＳ１１２１〜Ｓ１１２２の処理によって、デジタルテレビ受信装置に視聴コンテンツ操作コマンドが送信され、そのコマンドに対応しデジタルテレビ受信装置からＨＤＤ録画装置に対してポーズ要求が送られる。また「２」のキーを押すと、ＨＤＤ録画装置に対して再生中のコンテンツを１０秒分戻すコマンドが送られ、さらに「３」のキーを押すと、マーキングコマンドが送られる。
【００５１】
また図５のＳ５０１〜Ｓ５０４、およびＳ５１１〜Ｓ５１３の処理によって図６に示すリスト表示が携帯情報端末に表示されているときに、ユーザーが「ライブ番組を見る」を指定すると、図５のＳ５０５〜Ｓ５０７の処理、およびＳ５１４〜Ｓ５１８の処理、および図７に示したデータにより、デジタルテレビ受信装置のチューナ部を経由して映像・音声ストリームが入力され、その映像・音声データはデジタルテレビ受信装置を経由して携帯情報端末へと送信される。そして図５のＳ５０８〜Ｓ５０９の処理、およびＳ５１９〜Ｓ５２０の処理、そして図８に示したデータにより、ＸＭＬ＿ＣというＸＭＬデータが選択され、携帯情報端末へと送られ、液晶ディスプレイには図９の（Ｃ）に示すような表示がなされる。そして、ユーザーコンテンツ視聴中に「１」のキーを押すと、Ｓ１１０１〜Ｓ１１０３の処理、Ｓ１１１１〜Ｓ１１１３の処理によって、デジタルテレビ受信装置に視聴コンテンツ操作コマンドが送信され、そのコマンドに対応しデジタルテレビ受信装置のチューナ部に対して選局変更指示が送られる。また「２」のキーを押した場合も同様である。
【００５２】
また、図５のＳ５０１〜Ｓ５０４、およびＳ５１１〜Ｓ５１３の処理によって図６に示すリスト表示が携帯情報端末に表示されているときに、ユーザーが「サッカーＷＣＡＰ」というコンテンツを指定すると、図５のＳ５０５〜Ｓ５０７の処理、およびＳ５１４〜Ｓ５１８の処理、および図７に示したデータにより、ＶＴＲ装置の所定のトラック番号からの再生が開始され、その映像・音声データはデジタルテレビ受信装置を経由して携帯情報端末へと送信される。そして図Ｓ５０８〜Ｓ５０９の処理、およびＳ５１９〜Ｓ５２０の処理、そして図８に示したデータにより、ＸＭＬ＿ＢというＸＭＬデータが選択され、携帯情報端末へと送られ、液晶ディスプレイには図９の（Ｂ）に示すような表示がなされる。そして、ユーザーコンテンツ視聴中に「１」のキーを押すと、Ｓ１１０１〜Ｓ１１０３の処理、Ｓ１１１１〜Ｓ１１１３の処理、そしてＳ１１２１〜Ｓ１１２２の処理によって、デジタルテレビ受信装置に視聴コンテンツ操作コマンドが送信され、そのコマンドに対応しデジタルテレビ受信装置からＶＴＲ装置に対してポーズ要求が送られる。また「２」のキーを押すと、ＶＴＲ装置に対して１０秒分の巻き戻しと再生のコマンドが送られ、さらに「３」のキーを押すと、３０秒分の巻き戻しと、再生のコマンドが送られる。
【００５３】
以上説明したように、本発明の第１の実施例によれば、携帯情報端末に対してコンテンツと共に視聴補助用のＸＭＬデータが送られ、ユーザーが視聴中に「１」、「２」、「３」の何れかのキーを押すと、そのコンテンツを再生している装置もしくはデジタルテレビ受信装置内の機能部に対して所望の操作が行なえるようになる。
【００５４】
さらに、コンテンツのソースとなる機器、つまりコンテンツを保持している機器の種別によって、送信する視聴補助用のＸＭＬデータを選択して送信するので、そのコンテンツを再生している機器の機能に合った視聴補助が行なえるようになる。
【００５５】
例えばＣＨアップ／ＣＨダウンという操作はチューナ部を介したコンテンツを視聴しているときのみ意味を成すという場合、チューナ部で入力したコンテンツを視聴しているときだけ、ＣＨアップ／ＣＨダウンの操作ガイドが表示され、機能するようになる。
【００５６】
また例えば、ＨＤＤ録画装置には前述したマーキング機能があるが、ＶＴＲ装置にはマーキング機能が無い場合、本実施例のようにＨＤＤ録画装置のコンテンツ再生中にのみ「マーキング」という機能が使えることを示すことにより、ユーザーは混乱無く利用可能となる。
【００５７】
また、サイズの小さな液晶ディスプレイ上で、コンテンツの再生をしながら操作ガイドの表示をする場合、図９が示すように文字や図形を表示するスペースが十分でないため、たくさんのガイド表示が行なえない。このような状況でも、そのコンテンツの蓄積装置に合った最適なガイド表示およびスクリプトを持ったＸＭＬデータを選択して送ることで、限られた数の機能しかガイド表示を行なわなくても十分にコンテンツに対する操作を行なうことができる。
【００５８】
なお、上記実施例においては、視聴補助のためにＸＭＬデータを使って説明をしたが、携帯情報端末でのコンテンツ視聴時にユーザーの操作を補助するという本発明の主旨からすれば、これに限ることはなく、ＸＭＬデータの変わりに複数のＪａｖａ（登録商標）プログラムをコンテンツの蓄積装置に応じて選択して携帯情報端末に送信し、携帯情報端末側では、ブラウザアプリケーションの変わりにＪａｖａ（登録商標）実行環境を動作させ、送られたＪａｖａ（登録商標）プログラムを実行するとしても構わない。
【００５９】
（実施例２）
次に本発明の第２の実施例について説明をする。本実施例のテレビ受信システムおよびその中のデジタルテレビ受信装置、そして携帯情報端末の外観図および構成は第１の実施例と同じであるので、説明を省略する。
【００６０】
なお、本実施例では予めＨＤＤ録画装置１１０のみに図１２に示すような複数の番組コンテンツが蓄積されている状態を前提として説明を行なう。
【００６１】
本実施例のテレビ受信システムの動作については、基本的に第１の実施例と同様に図５で示したような動作の流れで実行される。
【００６２】
図１３は本実施例において、デジタルテレビ受信装置のＣＰＵ２０８が視聴補助用ＸＭＬデータを選択する処理（図５におけるＳ５１９）をさらに詳細に示したフローチャートである。
【００６３】
デジタルテレビ受信装置のＣＰＵ２０８は、外部機器、ここではＨＤＤ録画装置からＩＥＥＥ１３９４を介して送信されたデータをデマルチプレクサ部、映像・音声デコーダ部、映像・音声メモリ、映像・音声エンコーダを介して携帯情報端末に対して送信中に、デマルチプレクサ部に対して、携帯情報端末に送信中の番組コンテンツのサービス情報を取得するよう要求する（Ｓ１３０１）。そしてサービス情報を取得すると、その中の番組ジャンル情報を読出す。（Ｓ１３０２）。
【００６４】
サービス情報とは、放送中（もしくは将来の）サービス（チャンネル）や番組の名前やジャンル、放送ビデオフォーマット等の情報を含んだデータを放送局側から番組コンテンツのデータに多重して送信されるものであり、ジャンル情報とは例えば、映画、ドラマ、スポーツ、バラエティ、報道、ショッピングといった番組のカテゴリー分類のことを示している。
【００６５】
本実施例で用いたＨＤＤ録画装置は番組コンテンツの記録処理の際に上記サービス情報も一緒に多重したストリームの形で記録しており、再生時にも番組コンテンツと共に上記サービス情報が多重されたストリームがデジタルテレビ受信装置に供給される。デマルチプレクサ部は多重された信号の中からサービス情報を取り出し、ＣＰＵ８へと供給する。
【００６６】
サービス情報を取得したＣＰＵ２０８は図１４に示すテーブルに従い、番組のジャンルごとに対応したＸＭＬデータを選択する（Ｓ１３０３）。
【００６７】
例えば、現在携帯情報端末へ送信中のコンテンツのジャンルが映画コンテンツであった場合には、「１」キーが再生開始、「２」キーがポーズ、「３」キーが正／副音声切替という機能を有したＸＭＬ＿１というＸＭＬデータを選択する。
【００６８】
また、現在携帯情報端末へ送信中のコンテンツのジャンルがドラマであった場合には、「１」キーが再生開始、「２」キーがポーズ、「３」キーがリプレイという機能を有したＸＭＬ＿２というＸＭＬデータを選択する。
【００６９】
また、現在携帯情報端末へ送信中のコンテンツのジャンルがスポーツであった場合には、「１」キーが再生開始、「２」キーがリプレイ＆スロー再生、「３」キーが倍速再生という機能を有したＸＭＬ＿３というＸＭＬデータを選択する。
【００７０】
また、現在携帯情報端末へ送信中のコンテンツのジャンルが報道であった場合には、「１」キーが再生開始、「２」キーがリプレイ、「３」キーが倍速再生という機能を有したＸＭＬ＿４というＸＭＬデータを選択する。
【００７１】
また、現在携帯情報端末へ送信中のコンテンツのジャンルが報道であった場合には、「１」キーが再生開始、「２」キーがポーズ、「３」キーがマーキングという機能を有したＸＭＬ＿５というＸＭＬデータを選択する。
【００７２】
ＸＭＬ＿１〜ＸＭＬ＿５それぞれの記述内容については図示しないが、先の実施例における図１０に示したように、その番組コンテンツを再生する為のレイアウト情報とボタンキーイベントに対応したスクリプト処理が記述されている。そして、ユーザーがコンテンツ視聴中に「１」「２」、または「３」キーを押すと、図１１に示した処理に従い、その情報が視聴コンテンツ操作コマンドとしてデジタルテレビ受信装置へと送信され、ＨＤＤ録画装置に伝わり、処理が実行される。
【００７３】
以上説明してきたような処理による動作結果を以下に説明する。図５のＳ５０１〜Ｓ５０４、およびＳ５１１〜Ｓ５１３の処理によって図６に示すようなリスト表示が携帯情報端末に表示されているときに、ユーザーが「サッカーＷＣＡＰ」というコンテンツを指定すると、図５のＳ５０５〜Ｓ５０７の処理、およびＳ５１４〜Ｓ５１８の処理、および図１２に示したデータにより、ＨＤＤ録画装置の所定のＩＤ番号のコンテンツ再生が開始され、その映像・音声データはデジタルテレビ受信装置を経由して携帯情報端末へと送信される。
【００７４】
そして図５のＳ５０８〜Ｓ５０９の処理、Ｓ５１９の処理、図１３のＳ１３０１〜１３０３の処理により携帯情報端末へ送信中のコンテンツのジャンル＝スポーツを取得し、図１４に示したデータテーブルにより、「ジャンル＝スポーツ」に対応したＸＭＬデータとしてＸＭＬ＿３というデータが選択され、携帯情報端末へと送られる。携帯情報端末では受信したＸＭＬデータが表示され、図２２（Ａ）のような表示が行なわれる。
【００７５】
そして、ユーザーコンテンツ視聴中に「３」のキーを押すと、図１１Ｓ１１０１〜Ｓ１１０３の処理、Ｓ１１１１〜Ｓ１１１３の処理、そしてＳ１１２１〜Ｓ１１２２の処理によって、デジタルテレビ受信装置に視聴コンテンツ操作コマンドが送信され、そのコマンドに対応しデジタルテレビ受信装置からＨＤＤ録画装置に対して倍速再生要求が送られる。また「２」のキーを押すと、ＨＤＤ録画装置に対して再生中のコンテンツを１０秒分戻し、その１０秒間をスロー再生する要求コマンドが送られる。
【００７６】
また図５のＳ５０１〜Ｓ５０４、およびＳ５１１〜Ｓ５１３の処理によって図６に示すようなリスト表示が携帯情報端末に表示されているときに、ユーザーが「ドラマ人間相撲」というコンテンツを指定すると、図５のＳ５０５〜Ｓ５０７の処理、およびＳ５１４〜Ｓ５１８の処理、および図１２に示したデータにより、ＨＤＤ録画装置の所定のＩＤ番号のコンテンツ再生が開始され、その映像・音声データはデジタルテレビ受信装置を経由して携帯情報端末へと送信される。
【００７７】
そして図５のＳ５０８〜Ｓ５０９の処理、Ｓ５１９の処理、図１３のＳ１３０１〜１３０３の処理により携帯情報端末へ送信中のコンテンツのジャンル＝ドラマを取得し、図１４に示したデータテーブルにより、「ジャンル＝ドラマ」に対応したＸＭＬデータとしてＸＭＬ＿２というデータが選択され、携帯情報端末へと送られる。携帯情報端末では受信したＸＭＬデータが表示され、図２２（Ｂ）のような表示が行なわれる。そして、ユーザーコンテンツ視聴中に「３」のキーを押すと、図１１のＳ１１０１〜Ｓ１１０３の処理、Ｓ１１１１〜Ｓ１１１３の処理、そしてＳ１１２１〜Ｓ１１２２の処理によって、デジタルテレビ受信装置に視聴コンテンツ操作コマンドが送信され、そのコマンドに対応しデジタルテレビ受信装置からＨＤＤ録画装置に対してリプレイ再生要求が送られる。また「２」のキーを押すと、ＨＤＤ録画装置に対して再生中のコンテンツをポーズする為の要求コマンドが送られる。
【００７８】
以上詳記したように、本発明の第２の実施例によれば、携帯情報端末に対してコンテンツと共に視聴補助用のＸＭＬデータが送られ、ユーザーが視聴中に「１」、「２」、「３」の何れかのキーを押すと、そのコンテンツに対する所望の操作が行なえるようになる。さらに、コンテンツのジャンルによって、送信する視聴補助用のＸＭＬデータを選択して送信するので、そのジャンルのコンテンツを視聴するのに適した機能だけが視聴補助としてユーザーに示され、操作が行なえるようになる。
【００７９】
例えば、スポーツ番組を視聴中の場合、得点シーンなどをリプレイ＆スロー再生して見ることは頻繁にあるが、ドラマを視聴中にスロー再生をすることはほとんど無い、また、映画を視聴中には、俳優や女優の実際の声を聞くために音声切替をすることがあるが、報道やショッピング番組などで音声切替を行なうことはほとんど無い。
【００８０】
このようにユーザーは視聴するコンテンツのジャンルごとに、視聴中に行なう操作に偏りがあるため、本実施例のように、視聴するコンテンツのジャンルにあわせた視聴補助用ＸＭＬデータを選択することで、限られたボタンだけでも快適に視聴中の操作が行なえる。
【００８１】
また、サイズの小さな液晶ディスプレイ上で、コンテンツの再生をしながら操作ガイドの表示をする場合、文字や図形を表示するスペースが十分でないため、たくさんのガイド表示が行なえない。このような状況でも、コンテンツのジャンルに合った最適なガイド表示およびスクリプトを持ったＸＭＬデータを選択して送ることで、例えば図９のように限られた数の機能しかガイド表示を行なわなくても十分にコンテンツに対する操作を行なうことができる。
【００８２】
なお、上記実施例においては、視聴補助のためにＸＭＬデータを使って説明をしたが、携帯情報端末でのコンテンツ視聴時にユーザーの操作を補助するという本発明の主旨からすれば、これに限ることはなく、ＸＭＬデータの代わりに複数のＪａｖａ（登録商標）プログラムをコンテンツのジャンルに応じて選択して携帯情報端末に送信し、携帯情報端末側では、ブラウザアプリケーションの変わりにＪａｖａ（登録商標）実行環境を動作させ、送られたＪａｖａ（登録商標）プログラムを実行するとしても構わない。
【００８３】
（実施例３）
次に本発明の第３の実施例について説明する。本実施例のテレビ受信システムおよびその中のデジタルテレビ受信装置、そして携帯情報端末の外観図および構成は第１の実施例と同じであるので、説明を省略する。
【００８４】
なお、本実施例では予めＨＤＤ録画装置１１０に図１５に示すような複数の番組コンテンツが蓄積されている状態を前提として説明を行なう。また図１５の番組中、「サッカーＷＣＡＰ」は縦横比１６：９の番組、また「Ｆ１グランプリ」は４：３の番組でかつ複数のアングル映像を選択可能なマルチアングル番組であるとする。
【００８５】
本実施例のテレビ受信システムの動作については、基本的に第１の実施例と同様に図５で示したような動作の流れで実行される。
【００８６】
図１６は本実施例において、デジタルテレビ受信装置のＣＰＵ２０８が視聴補助用ＸＭＬデータを選択する処理（図５のＳ５１９）をさらに詳細に示したフローチャートである。デジタルテレビ受信装置のＣＰＵ２０８は、外部機器、ここではＨＤＤ録画装置からＩＥＥＥ１３９４を介して送信されたデータを、デマルチプレクサ部、映像・音声デコーダ部、映像・音声メモリ、映像・音声エンコーダを介して携帯情報端末に対して送信中に、デマルチプレクサ部に対して、携帯情報端末に送信中の番組のサービス情報を取得するよう要求する（Ｓ１６０１）。そしてサービス情報を取得すると、その中からビデオフォーマット情報、コンポーネントグループ情報を取り出す（Ｓ１６０２）。
【００８７】
サービス情報とは、放送中の番組の名前やジャンル、放送ビデオフォーマット等の情報を含んだデータを放送局側から番組コンテンツのデータに多重して送信されるものであり、ビデオフォーマット情報とは番組映像の縦横比が４：３であるか１６：９であるかの情報を含み、またコンポーネントグループ情報とはマルチビューと呼ばれる形式であるか否かなどの情報を含んでいる。マルチビューとは例えば、例えばカーレース中継番組で先頭の車を映しつづけるアングル、メインスタンド前だけを映したアングルと、日本のドライバの車だけを映したアングルといった複数のアングルの映像をユーザーが選択して切替えることができるようにした放送形式の番組のことである。
【００８８】
また本実施例で用いたＨＤＤ録画装置は番組コンテンツの記録処理の際に上記サービス情報も一緒に多重したストリームの形で記録しており、再生時にも番組コンテンツと共に上記サービス情報が多重されたストリームがデジタルテレビ受信装置に供給される。デマルチプレクサ部は多重された信号の中からサービス情報を取り出し、ＣＰＵ２０８へと供給する。
【００８９】
サービス情報を取得したＣＰＵ２０８は図１７に示すテーブルに従い、番組のビデオフォーマットおよびマルチビューであるか否かの情報の組合せから、対応したＸＭＬデータを選択する（Ｓ１６０３）。
【００９０】
以上の処理による動作結果を以下に説明する。図５のＳ５０１〜Ｓ５０４、およびＳ５１１〜Ｓ５１３の処理によってユーザーが「サッカーＷＣＡＰ」というコンテンツを指定すると、図５のＳ５０５〜Ｓ５０７の処理、およびＳ５１４〜Ｓ５１８の処理、および図１５に示したデータにより、ＨＤＤ録画装置の所定のＩＤ番号のコンテンツ再生が開始され、その映像・音声データはデジタルテレビ受信装置を経由して携帯情報端末へと送信される。そして図５のＳ５０８〜Ｓ５０９の処理、Ｓ５１９の処理、図１６のＳ１６０１〜１６０３の処理により携帯情報端末へ送信中のコンテンツのビデオフォーマット＝１６：９を取得し、図１７に示したテーブルにより、「１６：９」に対応したＸＭＬデータとしてＸＭＬ＿αというデータが選択され、携帯情報端末へと送られる。携帯情報端末では受信したＸＭＬデータが表示され、図２３（Ａ）のような表示が行なわれる。そして、ユーザーコンテンツ視聴中に「３」のキーを押すと、図１１のＳ１１０１〜Ｓ１１０３の処理、Ｓ１１１１〜Ｓ１１１３の処理、そしてＳ１１２１〜Ｓ１１２２の処理によって、デジタルテレビ受信装置に視聴コンテンツ操作コマンドが送信され、そのコマンドに対応しデジタルテレビ受信装置のＣＰＵは映像・音声デコーダ部を制御して、１６：９の映像を縦横比を保ったまま映像・音声メモリに書き込むか、もしくは、４：３に変換した上で映像・音声メモリに書き込むかを切替える処理を実行する。
【００９１】
また図５のＳ５０１〜Ｓ５０４、およびＳ５１１〜Ｓ５１３の処理によって、ユーザーが「Ｆ１グランプリ」というコンテンツを指定すると、図５のＳ５０５〜Ｓ５０７の処理、およびＳ５１４〜Ｓ５１８の処理、および図１５に示したデータにより、ＨＤＤ録画装置の所定のＩＤ番号のコンテンツ再生が開始され、その映像・音声データはデジタルテレビ受信装置を経由して携帯情報端末へと送信される。そして図５のＳ５０８〜Ｓ５０９の処理、Ｓ５１９の処理、図１６のＳ１６０１〜１６０３の処理により携帯情報端末へ送信中のコンテンツのビデオフォーマット＝４：３、マルチアングル＝「あり」という情報を取得し、図１７に示したテーブルにより、「４：３かつマルチアングル有り」に対応したＸＭＬデータとしてＸＭＬ＿γというデータが選択され、携帯情報端末へと送られる。携帯情報端末では受信したＸＭＬデータが表示され、図２３（Ｂ）のような表示が行なわれる。そして、ユーザーコンテンツ視聴中に「３」のキーを押すと、図１１のＳ１１０１〜Ｓ１１０３の処理、Ｓ１１１１〜Ｓ１１１３の処理、そしてＳ１１２１〜Ｓ１１２２の処理によって、デジタルテレビ受信装置に視聴コンテンツ操作コマンドが送信され、そのコマンドに対応しデジタルテレビ受信装置がデマルチプレクサ部に対して再生する映像コンポーネントを変更し、他のアングルの映像を再生するよう指示が行なわれる。
【００９２】
以上説明したように、本発明の第３の実施例によれば、携帯情報端末に対してコンテンツと共に視聴補助用のＸＭＬデータが送られ、ユーザーが視聴中に「１」、「２」、「３」の何れかのキーを押すと、そのコンテンツに対する所望の操作が行なえるようになる。さらに、コンテンツの放送形式、つまりビデオフォーマットやマルチビューか否かによって、送信する視聴補助用のＸＭＬデータを選択して送信するので、その放送形式のコンテンツを視聴するのに適した機能だけが視聴補助としてユーザーに示され、操作が行なえるようになる。
【００９３】
例えば、１６：９の番組を４：３の表示画面で見る場合、上下に枠が付き画面領域は少し狭くなるものの自然な表示で見たい場合と、縦長になるものの枠なしでなるべく大きめの表示で見たい場合とがあり、状況により切替えたいという要求はあるが、４：３の番組ではそのような必要は無い。
【００９４】
また、マルチビュー放送で無い場合に「ビュー切替」という操作ガイドが携帯情報端末の液晶ディスプレイに表示されると、ユーザーは何か切替ができるのかと勘違いしてしまう。
【００９５】
このように番組の放送形式によって、ユーザーがそのコンテンツに対して行なう操作は違いが有るため、本実施例のように、視聴するコンテンツの放送形式にあわせた視聴補助用ＸＭＬデータを選択することで、限られたボタンだけでも快適に視聴中の操作が行なえる。
【００９６】
また、サイズの小さな液晶ディスプレイ上で、コンテンツの再生をしながら操作ガイドの表示をする場合、文字や図形を表示するスペースが十分でないため、たくさんのガイド表示が行なえない。このような状況でも、コンテンツの放送形式に合った最適なガイド表示およびスクリプトを持ったＸＭＬデータを選択して送ることで、例えば図２３のように限られた数の機能しかガイド表示を行なわなくても十分にコンテンツに対する操作を行なうことができる。
【００９７】
なお、上記実施例においては、視聴補助のためにＸＭＬデータを使って説明をしたが、携帯情報端末でのコンテンツ視聴時にユーザーの操作を補助するという本発明の主旨からすれば、これに限ることはなく、ＸＭＬデータの代わりに複数のＪａｖａ（登録商標）プログラムをコンテンツの放送形式に応じて選択して携帯情報端末に送信し、携帯情報端末側では、ブラウザアプリケーションの変わりにＪａｖａ（登録商標）実行環境を動作させ、送られたＪａｖａ（登録商標）プログラムを実行するとしても構わない。
【００９８】
（実施例４）
（ＢＭＬ加工して送る）
次に本発明の第４の実施例について説明する。本実施例のテレビ受信システムおよびその中のデジタルテレビ受信装置、そして携帯情報端末の外観図および構成は第１の実施例と同じであるので、説明を省略する。
【００９９】
なお、本実施例では予めＨＤＤ録画装置１１０に図１２に示すような複数の番組コンテンツが蓄積されている状態を前提として説明を行なう。また図１５の番組中「サッカーＷＣＡＰ」は縦横比１６：９の番組であるとする。
【０１００】
本実施例のテレビ受信システムの動作については、基本的に第１の実施例と同様に図５で示したような動作の流れで実行される。
【０１０１】
図１８は本実施例において、デジタルテレビ受信装置のＣＰＵ２０８が視聴補助用ＸＭＬデータを選択する処理（図５のＳ５１９）をさらに詳細に示したフローチャートである。デジタルテレビ受信装置のＣＰＵ２０８は、外部機器、ここではＨＤＤ録画装置からＩＥＥＥ１３９４を介して送信されたデータを、デマルチプレクサ部、映像・音声デコーダ部、映像・音声メモリ、映像・音声エンコーダを介して携帯情報端末に対して送信中に、デマルチプレクサ部に対して、携帯情報端末に送信中の番組のサービス情報を取得するよう要求する（Ｓ１８０１）。そしてサービス情報を取得すると、その中のジャンル情報、ビデオフォーマット情報を読み出す。（Ｓ１８０２）。
【０１０２】
サービス情報を取得したＣＰＵ２０８は図１９（ａ）に示すテーブルに従い、番組のジャンル情報から対応したＸＭＬデータを選択する（Ｓ１８０３）。
【０１０３】
さらにＣＰＵ２０８は図１９（ｂ）に示すテーブルに従い、ビデオフォーマット情報に応じて、ＸＭＬデータ記述の書換え処理を実行する（Ｓ１８０４）。
【０１０４】
図２０（ａ）はＳ１８０３において選択された時点でのジャンル＝スポーツの番組に対応したＸＭＬデータの内容を示している。この中で、
＜ｎａｍｅ拡張＞＜／ｎａｍｅ拡張＞
＜ｇｕｉｄｅ拡張ｋｅｙ＝”４”＞＜／ｇｕｉｄｅ拡張＞
＜ｓｃｒｉｐｔ拡張ｋｅｙ＝”４”＞＜／ｓｃｒｉｐｔ拡張＞
と示された部分は、書換え対象個所を示しており、ＣＰＵ２０８はＳ１８０３の処理でこれらの部分を他の文字列で置き換える処理を行なう。＜ｎａｍｅ拡張＞＜／ｎａｍｅ拡張＞の部分はコンテンツの番組名で書き換える部分であり、ＣＰＵ２０８はデマルチプレクサ部より取得したサービス情報の「番組名」情報を基にこの部分の書換えを実行する。
【０１０５】
また＜ｇｕｉｄｅ拡張ｋｅｙ＝”４”＞＜／ｇｕｉｄｅ拡張＞そして＜ｓｃｒｉｐｔ拡張ｋｅｙ＝”４”＞＜／ｓｃｒｉｐｔ拡張＞の部分は番組コンテンツのビデオフォーマットに応じて書換えられる部分であり、１６：９番組であれば、図１９（ｂ）のテーブルでは「表示切替」という機能を拡張記述することが示されているので、書換え対象個所に対して書換え処理が行なわれ、結果として図２０（ｂ）のようなＸＭＬデータが生成される。
【０１０６】
以上の処理による動作結果を以下に説明する。
【０１０７】
図５のＳ５０１〜Ｓ５０４、およびＳ５１１〜Ｓ５１３の処理によってユーザーが「サッカーＷＣＡＰ」というコンテンツを指定すると、図５のＳ５０５〜Ｓ５０７の処理、およびＳ５１４〜Ｓ５１８の処理、および図１５に示したデータにより、ＨＤＤ録画装置の所定のＩＤ番号のコンテンツ再生が開始され、その映像・音声データはデジタルテレビ受信装置を経由して携帯情報端末へと送信される。そして図５のＳ５０８〜Ｓ５０９の処理、Ｓ５１９の処理、図１８のＳ１８０１〜１８０３の処理により携帯情報端末へ送信中のコンテンツのジャンルとビデオフォーマットを取得し図１９（ａ）に示したテーブルにより、「スポーツ」に対応したＸＭＬデータとしてＸＭＬ＿１というデータが選択される。そしてＣＰＵ２０８はこのＸＭＬ＿１というデータに対して番組名の記述を行い、さらに図１９（ｂ）のテーブルに従いビデオフォーマット＝１６：９に対応して「表示切替」機能の記述追加を行い、新たなＸＭＬデータが生成される。このＸＭＬデータは携帯情報端末へと送られる。
【０１０８】
図２１は携帯情報端末がブラウザアプリケーションを用いて、受信したＸＭＬデータを表示している画面の例を示した図である。図中上端には番組名が記述され、その下に映像の表示エリアがあり、その下に、操作ガイドが表示されている。またこの中には記述追加された「表示切替」というガイドも表示されている。
【０１０９】
そしてユーザーがコンテンツ視聴中に「４」のキーを押すと、図１１のＳ１１０１〜Ｓ１１０３の処理、Ｓ１１１１〜Ｓ１１１３の処理、そしてＳ１１２１〜Ｓ１１２２の処理によって、デジタルテレビ受信装置に視聴コンテンツ操作コマンドが送信され、そのコマンドに対応しデジタルテレビ受信装置のＣＰＵは映像・音声デコーダ部を制御して、１６：９の映像を縦横比を保ったまま映像・音声メモリに書き込むか、もしくは、４：３に変換した上で映像・音声メモリに書き込むかを切替える処理を実行する。
【０１１０】
以上説明したように、本発明の第４の実施例によれば、携帯情報端末に対してコンテンツと共に視聴補助用のＸＭＬデータが送られ、ユーザーが視聴中に「１」、「２」、「３」の何れかのキーを押すと、そのコンテンツに対する所望の操作が行なえるようになる。
【０１１１】
さらに、コンテンツのジャンルと放送形式の組合せを考慮した上で新たにＸＭＬデータが生成して視聴補助用のＸＭＬデータとして携帯情報端末へ送信するので、そのジャンル、放送形式のコンテンツを視聴するのに適した機能だけが視聴補助としてユーザーに示され、操作が行なえるようになる。
【０１１２】
なお、上記各実施例においては、デジタルテレビ受信装置が予め複数のＸＭＬデータを保持しており、その何れかを選択、もしくは一部変更してＸＭＬデータを携帯情報端末へと送信するという説明をしたが、携帯情報端末でのコンテンツ視聴時に最適な操作補助環境を選択して提供するという本発明の主旨からすれば、これに限ることはなく、例えばデジタルテレビ受信装置には複数のＸＭＬデータが格納されているＷＷＷサーバーのＵＲＬだけを記憶しておき、最適なＸＭＬデータを選択した後、携帯情報端末に対しそのＵＲＬだけを送ることとし、さらに携帯情報端末では、受信したＵＲＬを基にＸＭＬデータをＷＷＷサーバーより取得してからブラウザアプリケーション上で実行するというような処理を行なうようにしても構わない。
【０１１３】
また上記各実施例においては、携帯情報端末の「１」、「２」、「３」、「４」という数字キーに対して機能を割り振り、視聴時のコンテンツに対する操作として使用するとしたが、本発明の主旨からすれば当然、これに限ることはなく、他のキーであってもよく、また携帯情報機器に「赤」「緑」「黄」「青」の色分けされたカラーキーが備えられている場合には、それらを使用するとしても構わない。
【０１１４】
以上述べたように、上記各実施例におけるテレビ受信システムおよびテレビ受信装置によれば、携帯機器で番組コンテンツを視聴する際に、視聴しているコンテンツの記録装置の種類に応じて適した操作補助環境が提供されるので、ユーザーに対してはコンテンツ視聴中に行なうことのできる操作だけがガイド表示できるので、搭載する機能の異なる記録装置がシステムに混在していた場合においても混乱することなく、快適に視聴中の操作が行なえる環境を提供できるようになる。
【０１１５】
また携帯機器で番組コンテンツを視聴する際に、視聴しているコンテンツのジャンルに応じて適した操作補助環境が提供することができるようになり、例えば、スポーツ番組を視聴中の場合にはスロー再生、映画を視聴中の場合には音声切替といったようなコンテンツのジャンルに応じて頻繁に使用する操作だけをガイド表示し、実行できるので、限られたボタンしか持たない携帯機器でも快適に視聴中の操作が行なえるようになる。
【０１１６】
また携帯機器で番組コンテンツを視聴する際に、視聴しているコンテンツの放送形式に応じて適した操作補助環境が提供することができるようになり、例えば、１６：９の番組を視聴するときだけ「表示切替」という操作をガイド表示し、実行可能としたり、またマルチビュー放送の番組を視聴するときだけ「ビュー切替」という操作をガイド表示し、実行可能とするなどして、コンテンツの放送形式にあわせた必要な操作だけを集めた操作環境を提供可能となり、限られたボタンだけしか持たない携帯機器でも快適に視聴中の操作が行なえるようになる。
【０１１７】
また視聴しているコンテンツに応じて「使う」「使える」機能だけを選んで、ガイド表示行なうので、限られた画面スペースでもガイド表示が多すぎて画面を埋めてしまい、コンテンツ視聴が妨げられるという問題も防ぐことができるようになる。
【０１１８】
本発明のテレビ受信装置及びテレビ受信システムによれば、携帯機器で番組コンテンツを視聴する際に、コンテンツを保持している記録再生機器の種別や機能属性、または視聴しているコンテンツ属性のジャンルに応じて適した操作補助アプリケーションが携帯機器へと送信され、視聴状況にあった操作環境が提供できる。
【０１１９】
【発明の効果】
以上述べたように本発明のテレビジョン受信システムおよびテレビジョン受信装置によれば、携帯機器においてコンテンツを視聴する場合においても、ユーザーがコンテンツ視聴中に行なうさまざまな操作を快適に行なえる環境を提供することができるようになる。
【図面の簡単な説明】
【図１】本発明の各実施例におけるテレビ受信システムの構成を示した図。
【図２】本発明の各実施例におけるデジタルテレビ受像機の構成を示すブロック図。
【図３】本発明の各実施例における携帯情報端末の外観を示した図。
【図４】本発明の各実施例における携帯情報端末の構成を示したブロック図。
【図５】本発明の第１の実施例における携帯情報端末、デジタルテレビ受信装置、ＨＤＤ録画装置の動作を示したフローチャート。
【図６】本発明の各実施例における携帯情報端末上で表示される番組コンテンツリストの表示例を示した図。
【図７】本発明の第１の実施例におけるデジタルテレビ受信装置のＣＰＵが管理する再生可能な番組を示した情報テーブルを示した図。
【図８】本発明の第１の実施例におけるデジタルテレビ受信装置のＣＰＵが携帯情報端末へ送信するＸＭＬデータを決定する処理において使用するテーブル情報を示した図。
【図９】本発明の第１の実施例における携帯情報端末上での視聴画面の表示例を示した図。
【図１０】本発明の第１の実施例における携帯情報端末に対して送信されるＸＭＬデータの内容の一例を示した図。
【図１１】本発明の第１の実施例における携帯情報端末、デジタルテレビ受信装置、ＨＤＤ録画装置の動作を示したフローチャート。
【図１２】本発明の第２の実施例におけるデジタルテレビ受信装置のＣＰＵが管理する再生可能な番組を示した情報テーブルを示した図。
【図１３】本発明の第２の実施例におけるデジタルテレビ受信装置のＣＰＵが携帯情報端末へ送信するＸＭＬデータを決定する処理の流れを示したフローチャート。
【図１４】本発明の第２の実施例におけるデジタルテレビ受信装置のＣＰＵが携帯情報端末へ送信するＸＭＬデータを決定する処理において使用するテーブル情報を示した図。
【図１５】本発明の第３の実施例におけるデジタルテレビ受信装置のＣＰＵが管理する再生可能な番組を示した情報テーブルを示した図。
【図１６】本発明の第３の実施例におけるデジタルテレビ受信装置のＣＰＵが携帯情報端末へ送信するＸＭＬデータを決定する処理の流れを示したフローチャート。
【図１７】
本発明の第３の実施例におけるデジタルテレビ受信装置のＣＰＵが携帯情報端末へ送信するＸＭＬデータを決定する処理において使用するテーブル情報を示した図。
【図１８】
本発明の第４の実施例におけるデジタルテレビ受信装置のＣＰＵが携帯情報端末へ送信するＸＭＬデータを決定する処理の流れを示したフローチャート。
【図１９】
本発明の第４の実施例におけるデジタルテレビ受信装置のＣＰＵが携帯情報端末へ送信するＸＭＬデータを決定する処理において使用するテーブル情報を示した図。
【図２０】
本発明の第４の実施例における携帯情報端末に対して送信されるＸＭＬデータの内容の一例を示した図であり、書換え処理前と後の様子を示した図。
【図２１】
本発明の第４の実施例における携帯情報端末のコンテンツ視聴画面の表示例を示した図。
【図２２】
本発明の第２の実施例における携帯情報端末のコンテンツ視聴画面の表示例を示した図。
【図２３】
本発明の第３の実施例における携帯情報端末のコンテンツ視聴画面の表示例を示した図。
【図１】
2005012652.tif 000003
【図２】
2005012652.tif 000004
【図３】
2005012652.tif 000005
【図４】
2005012652.tif 000006
【図５】
2005012652.tif 000007
【図６】
2005012652.tif 000008
【図７】
2005012652.tif 000009
【図８】
2005012652.tif 000010
【図９】
2005012652.tif 000011
【図１０】
2005012652.tif 000012
【図１１】
2005012652.tif 000013
【図１２】
2005012652.tif 000014
【図１３】
2005012652.tif 000015
【図１４】
2005012652.tif 000016
【図１５】
2005012652.tif 000017
【図１６】
2005012652.tif 000018
【図１７】
2005012652.tif 000019
【図１８】
2005012652.tif 000020
【図１９】
2005012652.tif 000021
【図２０】
2005012652.tif 000022
【図２１】
2005012652.tif 000023
【図２２】
2005012652.tif 000024
【図２３】
2005012652.tif 000025